(57)【要約】【課題】灯体の器具本体への引掛け作業を容易に行うことができること。【解決手段】照明器具１は、器具本体２と灯体３と回動支持手段と固定手段とを備える。器具本体２は下面が開口する箱型に形成される。灯体３は光源が配設されて器具本体２下面を塞ぐように係脱自在に取り付けられる。回動支持手段は器具本体２の下面左端部を支点に灯体３を回動自在に支持するもので引掛部４と被引掛部５から構成される。固定手段は、灯体３が器具本体２下面を塞ぐ位置にあるとき灯体３右端部と器具本体２下面右端部を固定する。引掛部４は灯体３左端部が略鉤状に曲折されてなる。被引掛部５は器具本体２下面左端部から左方向に延出し且つ上方へ曲折されてなり、引掛部４が上下方向で引掛けられる。器具本体２の下面左端部の被引掛部５を挟んで対向する部位には、被引掛部５に向かって下方へ傾斜する傾斜面７ａを有し引掛部４を被引掛部５へ案内する案内部７が配設される。【選択図】図１
2011060716.tif 000002
【特許請求の範囲】
【請求項１】
下面が開口する箱型に形成された器具本体と、板状に形成され少なくとも光源が配設さ
れて器具本体の下面を塞ぐように係脱自在に取り付けられる灯体と、器具本体の下面一端
部を支点に灯体の一端部を回動自在に支持する回動支持手段と、前記回動により灯体が器
具本体の下面を塞ぐ位置にあるときに灯体の他端部と器具本体の下面他端部とを固定する
固定手段とを備え、
回動支持手段は、灯体の前記一端部が略鉤状に曲折されてなる引掛部と、器具本体の前
記下面一端部から水平方向に延出して且つ上方へ曲折されてなり引掛部が上下方向で引掛
けられる被引掛部とから構成され、
器具本体の前記下面一端部において、少なくとも被引掛部を挟んで対向する部位には、
被引掛部に向かって下方へ傾斜する傾斜面を有して引掛部を被引掛部へ案内する案内部が
配設されることを特徴とする照明器具。
【請求項２】
灯体は、前記一端部が器具本体の案内部に当接されたときに、上記対向する部位同士を
繋ぐ直線方向に沿った移動を規制する規制手段を備えることを特徴とする請求項１記載の
照明器具。
【発明の詳細な説明】
【技術分野】
【０００１】
本発明は、照明器具に関するものである。
【背景技術】
【０００２】
従来より、光源等の交換や点検作業を容易に行うことができる照明器具が提供されてい
る（例えば、特許文献１参照）。
【０００３】
この種の照明器具は、下面が開口する箱型に形成された器具本体と、板状に形成され少
なくとも光源が配設されて器具本体の下面を塞ぐように係脱自在に取り付けられる灯体と
を備え、更にこれらに加えて回動支持手段と固定手段とを備える。回動支持手段とは、器
具本体の下面一端部を支点に灯体の一端部を回動自在に支持するものである。固定手段と
は、前記回動により灯体が器具本体の下面を塞ぐ位置にあるときに灯体の他端部と器具本
体の下面他端部とを固定するものである。従って、灯体の器具本体への取り付け作業が容
易で、更に器具本体が天井面に固定されていても固定手段を外すだけで、器具本体の下面
一端部を支点に灯体を回動させれば器具本体内を容易に確認することができる。
【０００４】
また、このような照明器具の一例として、図６に示すような、照明器具９０がある。照
明器具９０は、器具本体９１と、灯体９２と、回動支持手段たる引掛部９３及び被引掛部
９４と、固定手段たる固定ネジ９５及び固定ネジ９５が螺合するネジ孔（図示せず）とを
備える。
【０００５】
ここで、引掛部９３は、灯体９２の左端部が略鉤状に曲折されてなる。被引掛部９４は
器具本体９１の下面一端部から水平方向に延出して且つ上方へ曲折されてなる。灯体９２
を器具本体９１に取り付ける際には、先ず灯体９２の上面を器具本体９１の下面に対して
垂直方向になるように保持しながら、引掛部９３を上下方向で被引掛部９４に引掛ける（
以下、この状態の灯体９２の位置を開位置と略称する）。次に、開位置にある灯体９２に
対して、器具本体９１の下面左端部を支点に器具本体９１の下面を塞ぐ位置（閉位置）ま
で回動させる。このとき灯体９２の右端部に貫設される挿通孔（図示せず）を器具本体９
１の下面右端部に穿設される前記ネジ孔に対向させる。そして、固定ネジ９５を灯体９２
の前記挿通孔に挿通させて前記ネジ孔に螺合することで灯体９２が器具本体９１に固定さ
れる。
【先行技術文献】
【特許文献】
【０００６】
【特許文献１】特開２００１−１４９３５号公報
【発明の概要】
【発明が解決しようとする課題】
【０００７】
しかしながら、従来の照明器具９０は、引掛部９３を上下方向で被引掛部９４に引掛け
るとき、図７（ａ）及び（ｂ）に示すように、引掛部９３の周辺部位が、器具本体９１の
下面左端部において被引掛部９４を挟んで対向する前後端部に段状に形成されたエンド部
９１ａの上部に接触したり、接触後に灯体９２を左方へスライドさせても引掛部９３が被
引掛部９４の所望の位置に引掛かり難く作業性が悪いという問題があった。特に、天井に
設置されている既存の器具本体９１に対して灯体９２を取り付ける場合には、引掛部９３
と被引掛部９４とを直接目視しながら作業することができず、勘を頼りに試行するしかな
った。
【０００８】
本発明は上記事由に鑑みて為されたものであり、その目的は、灯体の器具本体への引掛
け作業を容易に行うことができる照明器具を提供することにある。
【課題を解決するための手段】
【０００９】
請求項１の発明は、上記目的を達成するために、下面が開口する箱型に形成された器具
本体と、板状に形成され少なくとも光源が配設されて器具本体の下面を塞ぐように係脱自
在に取り付けられる灯体と、器具本体の下面一端部を支点に灯体の一端部を回動自在に支
持する回動支持手段と、前記回動により灯体が器具本体の下面を塞ぐ位置にあるときに灯
体の他端部と器具本体の下面他端部とを固定する固定手段とを備え、回動支持手段は、灯
体の前記一端部が略鉤状に曲折されてなる引掛部と、器具本体の前記下面一端部から水平
方向に延出して且つ上方へ曲折されてなり引掛部が上下方向で引掛けられる被引掛部とか
ら構成され、器具本体の前記下面一端部において、少なくとも被引掛部を挟んで対向する
部位には、被引掛部に向かって下方へ傾斜する傾斜面を有して引掛部を被引掛部へ案内す
る案内部が配設されることを特徴とする。
【００１０】
この発明によれば、灯体の前記一端部を器具本体の案内部に当接することで、灯体の自
重により灯体の前記一端部が案内部の傾斜面を下方へ摺動し、引掛部が被引掛部へ案内さ
れる。従って、灯体の器具本体への引掛け作業を容易に行うことができる。
【００１１】
請求項２の発明は、請求項１の発明において、灯体は、前記一端部が器具本体の案内部
に当接されたときに、上記対向する部位同士を繋ぐ直線方向に沿った移動を規制する規制
手段を備えることを特徴とする。
【００１２】
この発明によれば、灯体を器具本体へ引掛ける際に灯体が前記直線方向に沿ってズレて
しまうのを防ぐことができる。
【発明の効果】
【００１３】
本発明では、灯体の器具本体への引掛け作業を容易に行うことができるという効果があ
る。
【図面の簡単な説明】
【００１４】
【図１】本発明の実施形態の断面図である。
【図２】同上における平面図を示し、（ａ）は正面図で、（ｂ）は上面図で、（ｃ）は右側面図で、（ｄ）は底面図である。
【図３】同上における灯体の要部上面図である。
【図４】同上における要部斜視図である。
【図５】（ａ）及び（ｂ）は同上における引掛け時の説明図である。
【図６】従来の照明器具の一例の断面図である。
【図７】（ａ）及び（ｂ）は同上における引掛け時の説明図である。
【発明を実施するための形態】
【００１５】
以下、本発明の実施形態について、図１〜図５を参照して説明する。尚、以下の説明で
は、特に断りのない限り、図１において上下左右方向を規定して図１の正面を前面として
説明を行う。
【００１６】
本実施形態の照明器具１は、図１及び図２に示すように、器具本体２と、灯体３と、回
動支持手段たる引掛部４及び被引掛部５と、固定手段たる固定ネジ６及び固定ネジ６が螺
合するネジ孔（図示せず）とを備えた天井直付型の照明器具である。
【００１７】
器具本体２は、図１及び図２に示すように、例えば１枚の細長い金属板を板金加工によ
り下面が開口する細長矩形箱に形成されてなる。また、器具本体２の下面左端部には前後
両端に亘って被引掛部５が配設される。この被引掛部５は、前記下面左端部から左方向に
延出して且つ上方へ曲折されてなり、前方から見たときに断面Ｌ字形状に形成される。更
に、器具本体２の下面左端部において、図１及び図４に示すように、前後方向に延びる被
引掛部５を前後両端から挟むように一対の案内部７，７（図１では後端、図４では前端の
みを図示）が配設される。ここで、案内部７は各々矩形片が台形状に形成されてなり、被
引掛部５の上方へ延びる立設部５ａに向かって下方へ傾斜する傾斜面７ａを有している。
尚、本実施形態の器具本体２は全体として左右対称に形成されていて、即ち下面右端部に
も同様の被引掛部５及び一対の案内部７，７が配設される。
【００１８】
器具本体２上面の中心部には、図１及び図２（ｂ）に示すように、外部電源（商用電源
）に接続された電源線（図示せず）やその他電気線を器具本体２内へ引き込むための電源
孔２ａが貫設される。また、器具本体２上面の前後端には、図２（ｂ）に示すように、孔
部２ｂ，２ｂが各々貫設され、例えばシステム天井の吊りボルト（図示せず）を孔部２ｂ
，２ｂに挿通させてナット（図示せず）に螺合させることで器具本体２が天井面に取り付
けられる。
【００１９】
灯体３は、図１〜図４に示すように、６つの光源ブロック３１と、枠体３２と、６つの
透光パネル３３とから構成される。光源ブロック３１は、正方形に形成された平板のベー
ス３１ａ下面に光源たる９個のＬＥＤ（発光ダイオード）３１ｂを前後左右方向に均等に
配設してなる。
【００２０】
枠体３２は、図１〜図４に示すように、前後方向に細長い帯板状に形成される保持体３
２ａと、一対の枠部１１，１１と、２つの規制手段たる突部１３，１３とを備える。保持
体３２ａは、図２（ｂ）に示すように、器具本体２よりも外形寸法の大きい１枚の細長い
金属板が板金加工により前後両端部並びに左右両側端部で上方へ曲折され、そのうちの前
後両端部が上面から隙間を空けて内側へ曲折される。そして、６つの光源ブロック３１は
、各々９個のＬＥＤ３１ｂが下方に臨むように保持体３２ａの下面側で前後方向に並んで
ネジ止めにより保持される。
【００２１】
保持体３２ａの左右側端部には、図１〜図４に示すように、細長矩形板が長手方向に亘
ってコ字形状に曲折されてなる一対の枠部１１，１１が配設される。具体的に説明すると
、枠部１１は、図１に示すように、縦部１１ａと縦部１１ａの上下両端部から前後方向に
亘って内側へ延出する上延出部１１ｂ及び下延出部１１ｃとから構成される。縦部１１ａ
には、上述した保持体３２ａの上方へ曲折する左右側端部が各々当接される。一方、上述
した保持体３２ａの内側へ曲折される前後両端部には、その左右両端にネジ孔（図示せず
）が穿設される。そして、図３に示すように、４個のネジ１２（図中では前端部の２個の
み図示）が上延出部１１ｂ，１１ｂの前後端部に貫設される孔（図示せず）を介して前記
ネジ孔に螺合することで、枠部１１，１１が保持体３２ａに固定される。
【００２２】
ここで引掛部４は、図１及び図３に示すように、保持体３２ａの左側に配設される枠部
１１の上延出部１１ｂ右端が前後方向に亘って下方に曲折されることで、前方から見たと
きの断面が全体として略鉤状に形成されてなる。また、図３及び図４に示すように、引掛
部４の前後両端部から、左方へやや窪んで形成された案内受部１０を介して、上延出部１
１ｂの前後両端部に亘って引掛部４よりも右方へ突出した規制手段たる突部１３，１３が
設けられている。尚、図３及び図４中では何れも前端部側の案内受部１０と突部１３のみ
が図示される。
【００２３】
尚、本実施形態の保持体３２ａ上面には、図１に示すように、ＬＥＤ３１ｂを点灯させ
るための点灯回路を備えた点灯装置１５が配設される。前記点灯回路とは、例えば商用交
流電源から給電される電力を整流する整流平滑回路や、整流された電力を直流電力に変換
するコンバータ回路を主な構成要素としている。そして、点灯装置１５で生成された直流
電力が図示しないランプ線を通じて各ＬＥＤ３１ｂへ供給される。また、保持体３２ａ上
面には、この他にも点灯装置１５と電気的に接続されるとともに器具本体２の電源孔２ａ
より引き込まれる図示しない電源線を介して外部電源（商用電源）と接続される端子台１
６が設置される。
【００２４】
透光パネル３３は、図１、図２（ｄ）及び図３に示すように、全体が透光性を有するア
クリル樹脂材料により形成されてなり、主部３３ａと一対の係止部３３ｂ，３３ｂとから
構成される。主部３３ａは、光源ブロック３１の正方形と略同形の板状に形成され、更に
その四方周縁部が上方へ延出することで、全体として上面が開口した扁平な矩形箱に形成
される。そして、主部３３ａは、光源ブロック３１のＬＥＤ３１ｂと対向し、各ＬＥＤ３
１ｂが発する光を外部へ効率良く透光させるために円形状に内側へ窪んでなる９個のレン
ズ部３３ｃを具備する。係止部３３ｂ，３３ｂは、主部３３ａの上方へ延出した左右側端
部から外側に突出してなる。
【００２５】
そして、上述した６つの透光パネル３３は、次のように枠体３２へ取り付けられる。先
ず、図１に示すように保持体３２ａ下面の左右両側端部と枠部１１の下延出部１１ｃ，１
１ｃとの間には前後方向に亘って各々隙間が空いていて、枠体３２の前後端部にて外部と
連通するように開放されている。そこで、透光パネル３３の係止部３３ｂ，３３ｂを枠体
３２の前端部または後端部から当該隙間に挿入し、前後方向に沿ってスライド移動させて
透光パネル３３を対応する光源ブロック３１の下方に配置させる。次に、係止部３３ｂ，
３３ｂに穿設されるネジ孔（図示せず）と保持体３２ａ下面の左右両側端部に貫設される
挿通孔（図示せず）との位置合わせを行う。そして、保持体３２ａの上面側から前記挿通
孔を介してネジ１４を前記ネジ孔に螺合することで、前後方向のスライド移動が規制され
て透光パネル３３が枠体３２に取り付けられる。残りの５つの透光パネル３３についても
同様に、前記隙間より順に挿入してネジ止めすることで、６つの透光パネル３３が６つの
光源ブロック３１の下方で各々対向するように前後方向に並べられる。
【００２６】
以下、本実施形態の灯体３を器具本体２に取り付けるときの作用について図５（ａ）及
び（ｂ）を参照しながら説明する。先ず、図５（ａ）に示すように、灯体３を透光パネル
３３の配置される側を左方に向けて、その短手方向を上下方向に向けた状態で保持する。
次に引掛部４が被引掛部５に引掛かるように灯体３を器具本体に向かって上方から下方へ
降ろしつつ、灯体３の前後方向を調整して器具本体２の案内部７を案内受部１０に嵌合さ
せる。このとき、案内部７が上述した規制手段たる突部１３，１３に当接することで、灯
体３が前後方向に沿ってズレてしまうのを防ぐことができ、案内受部１０への前記嵌合が
容易となる。そして、灯体３の自重により案内受部１０が案内部７の傾斜面７ａを下方へ
摺動して、引掛部４が被引掛部５へ案内されて引掛かる（図５（ｂ）参照）。従って、本
実施形態の照明器具１は灯体３の器具本体２への引掛け作業を容易に行うことができる。
【００２７】
以降の取り付け作業は従来技術と同様で、器具本体２の下面左端部を支点に回動自在に
支持された灯体３に対して反時計回りに回動させて（図５（ｂ）の曲線矢印参照）、器具
本体２の下面を塞ぐ位置まで移動させる。そして、固定ネジ６を灯体３の右端部に貫設さ
れる図示しない挿通孔、及び器具本体２の下面右端部に穿設される図示しないネジ孔に対
して左方へ螺進させることで灯体３が器具本体２に固定され、保持体３２ａ上面に配設さ
れる点灯装置１５や端子台１６が器具本体２内に収納される。
【００２８】
尚、本実施形態の案内部７は矩形片が台形状に形成されたものであるが、この限りでは
なく傾斜面７ａを備えた前後方向に沿って延びる角筒体であってもよい。また、本実施形
態の灯体３は、器具本体２の下面左端部側に引掛けて下面右端部側でネジ止め固定されて
いるが、器具本体２は全体が左右対称に形成されているので下面右端部側に引掛けて下面
左端部側でネジ止め固定されることも可能である。
【符号の説明】
【００２９】
１  照明器具
２  器具本体
３  灯体
４  引掛部
５  被引掛部
７  案内部
７ａ  傾斜面
３１  光源ブロック
３１ｂ  ＬＥＤ
３２  枠体
３３  透光パネル
【図１】
2011060716.tif 000003
【図２】
2011060716.tif 000004
【図３】
2011060716.tif 000005
【図４】
2011060716.tif 000006
【図５】
2011060716.tif 000007
【図６】
2011060716.tif 000008
【図７】
2011060716.tif 000009